(57)【要約】【課題】１本フック、２本フックのいずれでも吊下げることができるとともに、吊下げ強度を保持して同一の高さ位置に展示する。【解決手段】商品を収容する収容部２および収容部２の上端部に連続する吊下げ部３からなる包装体１において、吊下げ部３に、１本フックが挿通可能な一つの第１穴５または第１切込みを形成するとともに、第１穴５または第１切込みの両側の同一高さ位置に二つの第２穴６または第２切込みを形成し、さらに、左右の第２穴６または第２切込みを結ぶ切込み７を形成し、連通された切込み７を介して左右の第２穴６または第２切込みにわたって２本フックを挿通可能に構成する。【選択図】図１
2005053492.tif 000002
【特許請求の範囲】
【請求項１】
商品を包装し、商品展示台に設けられた１本フックまたは２本フックに吊下げて展示するための包装体であって、商品を収容する収容部および収容部の上端部に連続する吊下げ部からなり、吊下げ部には、１本フックが挿通可能な一つの第１穴または第１切込みが形成されるとともに、第１穴または第１切込みの両側の同一高さ位置に二つの第２穴または第２切込みが形成され、さらに、左右の第２穴または第２切込みを結ぶ切込みが形成され、連通された切込みを介して左右の第２穴または第２切込みにわたって２本フックが挿通可能であることを特徴とする包装体。
【請求項２】
前記左右の第２穴または第２切込みを結ぶ切込みが、第１穴または第１切込みの下方に形成されたことを特徴とする請求項１記載の包装体。
【請求項３】
前記左右の第２穴または第２切込みを結ぶ切込みが、第１穴または第１切込みの上方に形成されたことを特徴とする請求項１記載の包装体。
【請求項４】
前記左右の第２穴または第２切込みを結ぶ切込みが、第１穴または第１切込みを経由して形成されたことを特徴とする請求項１記載の包装体。
【発明の詳細な説明】
【０００１】
【発明の属する技術分野】
本発明は、吊下げ展示用の包装体に関する。
【０００２】
【従来の技術】
従来から商品を店頭で展示する場合、商品展示台に設けられた１本フックＡ（図８（ａ）参照）または２本フックＢ（図８（ｂ）参照）に包装された商品を吊下げて、より多くの商品を効率的に展示する方法が一般に採用されている。そして、吊下げ展示用の包装体９は、通常、図９に示すように、商品を収容する収容部９１および収容部９１の上端部に連続する吊下げ部９２から構成され、吊下げ部９２には、１本フックＡ、２本フックＢのいずれでも吊下げることができるように、１本フックＡおよび２本フックＢの双方を挿通する支持穴９３が形成されている。すなわち、支持穴９３は、幅方向に延びる長穴９４と、長穴９４の中央部に形成された凹み部９５からなり、２本フックＢを用いる場合は、２本フックＢを長穴９４に挿通して懸吊し、また、１本フックＡを用いる場合は、凹み部９５に懸吊する。
【０００３】
しかしながら、包装体９は加工方法の制約により、通常、軟質系プラスチックで形成されており、また、吊下げ部９２を補強する場合にも、軟質系プラスチックの補強材を吊下げ部９２に挿入しているものが多く、吊下げ部９２の強度を十分に上げることが困難であった。すなわち、支持穴９３に１本フックＡを挿通して包装体９を吊下げた場合、図１０に示すように、収容物の荷重が図中の矢印方向にかかり、凹み部９５を支点として下方に引張られるので、支持穴９３の上端部が変形し、長穴９４の両端に亀裂が生じたり、吊下げ部９２が弛んだり、しわになったり、全体が伸びることにより変形し、購買意欲を低下させるといった問題があった。
このために、１本フック、２本フックに兼用で吊下げることができる包装体において、フックを挿通する穴の位置や形状等を工夫した種々の包装体が提案されている（例えば、特許文献１、２、３参照。）。
【０００４】
特許文献１には、折り込むと２本フックを挿通する長穴が形成される切込みが上端に設けられるとともに、切込みの中央部下方に１本フックを挿通する丸穴または切込みが形成された包装体が記載されている。
【０００５】
特許文献２には、２本フックを挿通する長穴と、１本フックを挿通する丸穴とが垂直方向に互いに離間して設けられた包装体が記載されている。
【０００６】
特許文献３には、図９に示す長穴と同様の長穴の上端部にリブを設けて補強した包装体が記載されている。
【０００７】
【特許文献１】
特開平８−３３４８７０号公報
【特許文献２】
特開平９−１８８３３８号公報
【特許文献３】
実開平３−８７６６８号公報
【０００８】
【発明が解決しようとする課題】
しかしながら、従来の包装体９では、図１１に示すように、包装体９を１本フックＡに吊下げた場合と２本フックＢに吊下げた場合とでは、高さがＬだけ変わってしまう。このため、１本フックＡ、２本フックＢにかかわらず包装体９を一律に同一高さで展示するためには、フックの高さを調整する必要があり、煩雑であった。
【０００９】
また、上記した特許文献１乃至３に記載の包装体においても、１本フックＡに吊下げた場合と２本フックＢに吊下げた場合とで高さが変わるという問題点が依然として存在している。
【００１０】
本発明は、このような事情に鑑み創作されたものであって、１本フック、２本フックのいずれでも吊下げることができるとともに、吊下げ強度を保持して同一の高さ位置に展示することができる包装体を提供するものである。
【００１１】
【課題を解決するための手段】
上記の課題を解決するために、本発明は、商品を包装し、商品展示台に設けられた１本フックまたは２本フックに吊下げて展示するための包装体であって、商品を収容する収容部および収容部の上端部に連続する吊下げ部からなり、吊下げ部には、１本フックが挿通可能な一つの第１穴または第１切込みが形成されるとともに、第１穴または第１切込みの両側の同一高さ位置に二つの第２穴または第２切込みが形成され、さらに、左右の第２穴または第２切込みを結ぶ切込みが形成され、連通された切込みを介して左右の第２穴または第２切込みにわたって２本フックが挿通可能であることを特徴とする。
【００１２】
この発明によれば、第１穴または第１切込みに１本フックを挿通することで、包装体を１本フックに吊下げて展示することができる。また、左右の第２穴または第２切込み間に形成された切込みを連通させることにより、左右の第２穴または第２切込みにわたって２本フックを挿通することが可能となり、包装体を２本フックに吊下げて展示することができる。
【００１３】
また、包装体を１本フックに吊下げた場合は、商品の荷重を第１穴または第１切込みで支持するので、第２穴または第２切込みに亀裂が生じたり、吊下げ部が変形することが防止できる。一方、２本フックに吊下げた場合は、商品の荷重を左右の第２穴または第２切込みで支持するので、吊下げ強度を保持することができる。
【００１４】
さらに、第１穴または第１切込みと第２穴または第２切込みとは、同一高さ位置に形成されているので、包装体を１本フックに吊下げて展示した場合と、２本フックに吊下げて展示した場合とでは、高さが同一に設定される。したがって、フックの高さを調節しなくても一律に高さを揃えて展示することができ、美しい展示効果が得られる。
【００１５】
さらにまた、切込みにより左右の第２穴または第２切込みが結ばれているので、２本フックを挿通するため長穴を形成する必要がない。したがって、吊下げ部の印刷可能面積を十分に確保することができ、吊下げ部を有効に活用して販売促進効果を得ることができる。
【００１６】
また、上記の構成の包装体において、前記左右の第２穴または第２切込みを結ぶ切込みを、第１穴または第１切込みの下方、第１穴または第１切込みの上方、もしくは第１穴または第１切込みを経由して形成してもよい。
【００１７】
【発明の実施の形態】
以下、本発明の実施形態について、収容物として電卓を用いた場合を例にとって図を参照しながら説明する。
【００１８】
図１乃至図５には、本発明の第１実施形態が示されている。
【００１９】
本発明の包装体１は、ポリプロピレンまたはポリエチレンのシートの外周が熱溶着されて形成されており、商品を収容する収容部２と、この収容部２の上端部に連続する吊下げ部３と、から構成されている。
【００２０】
吊下げ部３と収容部２とは、熱溶着されたシール部４を介して連続している。また、熱溶着時に図１（ｂ）に示すように、ポリプロピレン等で形成された中芯３ａを吊下げ部３の中に補強材として挿入している。
【００２１】
なお、後述するように、第１穴５または第２穴６に１本フックＡまたは２本フックＢをそれぞれ挿通することで包装体１を吊下げるので、中芯３ａの材質は、極力薄いものであっても吊下げ部３の吊下げ強度を保持することができ、製造コストを抑えることができる。
【００２２】
吊下げ部３には、電卓Ｃの機種表示や販売促進のための表示、もしくはデザイン模様等が印刷されており、一つの第１穴５が形成されるとともに、第１穴５の両側に二つの第２穴６が形成されている。
【００２３】
第１穴５と第２穴６とは、同一高さ位置に形成されており、図２に示すように、包装体１を１本フックＡに吊下げた場合と、２本フックＢに吊下げた場合とでは、包装体１の高さは同一に揃えられる。
【００２４】
左右の第２穴６の間には、各第２穴６を結ぶ切込み７が第１穴５の下方に形成されている。この切込み７の途中には、連結部７ａが２個所形成されており、第１穴５に１本フックＡを挿通した際、切込み７が連結部７ａにより連結されることにより、吊下げ部３の強度を保持できるように図られている。そして、連結部７ａを破断すれば、左右の第２穴６が破断された連結部７ａによって連通し、これらの第２穴６にわたって２本フックＢを挿通することができる。
【００２５】
なお、切込み７は、図３に示すように第１穴５の上方に形成してもよく、あるいは図４、図５に示すように第１穴を経由して形成してもよい。
【００２６】
図４に示す切込み７は、第１穴５の外周を経由して形成されており、途中に連結部７ｂが２個所設けられている。また、図５に示す切込み７は、第１穴５の中心を通る線上に形成されている。この場合、連結部７ｃとして第１穴５の片側につき３箇所設けると、さらに強度を保持することができる。
【００２７】
次に、本発明の第２実施形態について図６を参照しながら説明する。
【００２８】
この実施形態に係る包装体１は、上記した第１実施形態において、第２穴６に代えて第２切込み６０が形成されたものであって、その他の構成は第１実施形態と同様である。
【００２９】
第２切込み６０は、下部に連結部６０ａを残して第２穴６と略同形状に切り込まれたものである。したがって、連結部６０ａを折り込むと、第２穴６と同等の穴が形成され、切込み７の連結部７ａを破断すれば、左右の第２切込み６０が破断された連結部７ａによって連通し、これらの第２切込み６０にわたって２本フックＢを挿通することができる。
【００３０】
一方、包装体１を１本フックＡに吊下げた状態では、第２切込み６０で囲まれた部分６１が吊下げ部３に残されるので、吊下げ部３の印刷面を有効に活用することができ、かつ、見た目にも美しく展示することができる。
【００３１】
なお、第２切込み６０は、切込み７に連続して形成されており、切込み７の連結部７ａを破断すれば、左右の第２切込み６０が切込み７を介して連続するように図られている。
【００３２】
次に、本発明の第３実施形態について図７を参照しながら説明する。
【００３３】
この実施形態に係る包装体１は、上記した第２実施形態において、第１穴５に代えて第１切込み５０が形成されたものであって、その他の構成は第２実施形態と同様である。
【００３４】
第１切込み５０は、下部に連結部５０ａを残して第１穴５と略同形状に切り込まれたものである。したがって、連結部５０ａを折り込むと、第１穴５と同等の穴が形成され、１本フックＡを挿通することができる。一方、包装体１を２本フックＢに吊下げた状態では、第１切込み５０で囲まれた部分５１が吊下げ部３に残されるので、吊下げ部３の印刷面を有効に活用することができ、かつ、見た目にも美しく展示することができる。
【００３５】
以上、本発明の包装体１の実施形態について、電卓を包装する場合を例にとって説明したが、電卓に限られるものではなく、例えば雑貨品や食品など種々多様な商品に利用できるものである。
【００３６】
【発明の効果】
以上のように、本発明の包装体によれば、１本フック、２本フックのいずれでも吊下げることができるとともに、吊下げ強度を保持して同一の高さ位置に展示することができる。
【図面の簡単な説明】
【図１】本発明の包装体を示す正面図、および側面断面図である。
【図２】本発明の包装体をフックに吊下げた状態を示す正面図である。
【図３】本発明の包装体の吊下げ部の変形例を示す正面図である。
【図４】本発明の包装体の吊下げ部の変形例を示す正面図である。
【図５】図４の包装体の変形例を示す正面図である。
【図６】本発明の包装体の第２実施形態における吊下げ部を示す正面図である。
【図７】本発明の包装体の第３実施形態における吊下げ部を示す正面図である。
【図８】１本フック、２本フックを示す斜視図である。
【図９】従来の包装体を示す正面図である。
【図１０】従来の包装体の吊下げ状態を示す正面図である。
【図１１】従来の包装体の吊下げ状態を示す正面図である。
【符号の説明】
１        包装体
２        収容部
３        吊下げ部
５        第１穴
５０    第１切込み
６        第２穴
６０    第２切込み
７        切込み
【図１】
2005053492.tif 000003
【図２】
2005053492.tif 000004
【図３】
2005053492.tif 000005
【図４】
2005053492.tif 000006
【図５】
2005053492.tif 000007
【図６】
2005053492.tif 000008
【図７】
2005053492.tif 000009
【図８】
2005053492.tif 000010
【図９】
2005053492.tif 000011
【図１０】
2005053492.tif 000012
【図１１】
2005053492.tif 000013